(57)【要約】【目的】屋外において、雨と太陽光を避け、車道と歩道の境や建物の内と外の境等に存在する段差や路上の凹凸を容易に乗り越える。【構成】パイプ１１の中の圧縮ばね１０で天蓋と支柱の重量を支え、関節１５と１７を折り曲げて支柱受け１３と天蓋の位置を離し、支柱受け１３をスライドガイド１９で支えて前後に滑動するようにし、さらに左右に折れ曲がる関節１８で前後に長い傘状天蓋３及び天蓋５１を支え、長い取手を取りつける。【選択図】        図２
2004321724.tif 000002
【特許請求の範囲】
【請求項１】
介護者（１）と被介護者（２）がともに入れるように前後に長い傘状天蓋（３）及び天蓋（５１）を持った車椅子。
【請求項２】
パイプ（１１）の中に圧縮ばね（１０）を挿入し、その上に支柱（５）を挿入するようにした支柱受け。
【請求項３】
関節（１５、１７）を装備して傘状天蓋（３）及び天蓋（５１）を支柱受け（１３）から離して設置するようにした天蓋支柱。
【請求項４】
スライドガイド（１９）に支柱受け（１３）を固着し、スライドガイド（１９）の他端を車椅子の支持枠（２１）に固着し支柱受け（１３）を移動できるようにした車椅子。
【請求項５】
中間支柱（４１）をピン（３２）により揺動自在に軸支し、ガイドスリット（３１）を持ったパイプ（３０）を中間支柱（４１）の上に自在に直線移動できるように被せ、ピン（３８）を中間支柱（４１）に固着して溝（４３）に挿入して中間支柱（４１）の姿勢を固定する、又、中間支柱（４１）と中間支柱（４２）を一直線にしてパイプ（３０）を中間支柱（４１）と中間支柱（４２）に同時に被ぶせて二者の姿勢を固定するようにした車椅子用天蓋の支柱。
【請求項６】
中間支柱（３２）をピン（３３）により揺動自在に軸支し、閂（３４）を中間支柱（３２）に設けた長穴（３９）に直線移動できるようにセットし、さらに中間支柱（４０）に設けた溝（３５、３６、３７）の何れかを選択して挿入し上部支柱（３２）の姿勢を選択して固定できるようにした車椅子用天蓋の支柱。
【請求項７】
被介護者（２）の体重等座面に乗ったモノの重量が４０Ｋｇの時前輪（８）を持ち上げる為に取手（４５）にかける下向きの力Ｄ．ｆが１０Ｋｇｆ以下になるか、同様に大車輪（７）を持ち上げる為に取手（４５）にかける上向きの力Ｕ．ｆが１０Ｋｇｆ以下になるように取手（４５）と大車輪（７）の距離Ｌ１を設定した車椅子。
【請求項８】
取手（４５）をパイプ（４８）に挿入し、テーパー部（５７）を持った隙間埋めコマ（４７）をパイプ（４８）と取手（４５）の隙間を埋めるように装着し、固定具（４６、５０）をネジ（４９）を締めて取りつけるような構造の取手。
【発明の詳細な説明】
【０００１】
【発明の属する技術分野】
本発明は、車椅子に関する。
【０００２】
【従来の技術】
従来のこの種の車椅子においては、傘の取り付けに関しては、被介護者用の一人用の傘を取りつけるものが有った。
路上の段差や凹凸を乗り越える際は、介護者が後部の取手を持ち、後部、下部に設けられた足掛けに足を掛けて、体重を掛けて、前輪を障碍物の上まで持ち上げていた。
【０００３】
【発明が解決しようとする課題】
従来のこの種の車椅子においては、介護者が日差しや雨を避ける方法は考えられてなく、被介護者と介護者が連帯感をもっての屋外作業ができなかった、又、路上の段差や凹凸を乗り越えるのに大きな力を用した。
【０００４】
本発明は段差や凹凸を楽に通過し、介護者と被介護者が共に、日差しや雨を避け、一つの空間を共有しながら一体感を増し、さらに場所や状況に応じた方法で天蓋を使用することで、外出することに意欲を持つようになる事を目的としている。
【０００５】
【課題を解決するための手段】
上記目的を達成するために、本発明の車椅子においては前後に長い傘状天蓋（３）及び天蓋（５１）を使用して、他の通行者の邪魔にならないようにし、パイプ（１１）の中に挿入した圧縮ばね（１０）で天蓋の重量を支えて、天蓋の上下位置の調整を楽にし、関節（１５、１７）を折り曲げて支柱受け（１３）を天蓋の位置からはなして、介護者（１）と被介護者（２）の邪魔にならないようにし、支柱受け（１３）をスライドガイド（１９）で前後に滑動するように支え、さらに支柱を左右に折れるようにして前後左右に斜めに射す太陽光や、風により斜めに降る雨を受け、介護者（１）と被介護者（２）が同時に一つの空間を共有し、長い取手により梃子の作用で路上の段差や凹凸を容易に乗り越えて車椅子での屋外作業を楽しくするのに効果的である。
【０００６】
【作用】
パイプ（１１）の中の圧縮ばね（１０）で傘の重量を支えているのでロック（１２）を解除した時、天蓋と支柱が下限まで落ちず、天蓋の上下位置の調整を楽にし、関節（１５、１７）を折り曲げて支柱受け（１３）を天蓋の位置からはなして、介護者（１）と被介護者（２）の邪魔にならないようにし、支柱受け（１３）を支えるスライドガイド（１９）を前後に滑動するように車椅子の支持枠（２１）に取り付けて前方端に固定すれば前方より斜めに射す太陽光や、風により斜めに降る雨を避け、後方端に固定すれば後方より斜めに射す太陽光や、風により斜めに降る雨を避ける。さらに中間支柱（３２）を左に倒し、関節（１８）の閂（３４）を溝（３５）に挿入すれば天蓋は左に傾いて固定して、左からの太陽光や雨を避ける。同様に、中間支柱（３２）を右に倒せば右からの太陽光や雨を避ける。さらに前後に長い傘状天蓋（３）および天蓋（５１）により、介護者（１）と被介護者（２）が同時に一つの空間を共有しながら横巾を狭くすることで他の通行人の邪魔にならない。さらに、長い取手（４５）により梃子の作用で路上の段差や凹凸を容易に乗り越えられる。
【０００７】
【発明の実施の形態】
実施例について図面を参照して説明すると、図３において傘状天蓋（３）を関節（１５、１７、１８）を備えた支柱に取り付け、その支柱（５）をパイプ（１１）内に圧縮バネ（１０）を挿入しパイプ（１１）の上端に偏芯カムを利用したロック（１２）をセットした支柱受け（１３）に挿入し、支柱受け（１３）を支持枠（２１）に溶接で固着した取り付け板（２２）に一端を固着したスライドガイド（１９）の他端に固着した支柱受け取りつけ具（２０）に固着する。さらに既設の車椅子の場合、取手（４５）をパイプ（４８）に挿入し、隙間埋めコマ（４７）を取手（４５）とパイプ（４８）の隙間を埋めるようにセットし、固定具（４６）と固定具（５０）をセットし、ネジ（４９）を締める。
【０００８】
図３において関節（１５）は中間支柱（４１）をピン（２９）により揺動自在に軸支し、パイプ（３０）を中間支柱（４１）上に直線運動自在に被せ、パイプ（３０）にはスリット（３１）を設けさらにピン（３８）を中間支柱（４１）に打ち込こむ。関節（１７）も同様に構成している。
【０００９】
図３において関節（１８）は中間支柱（３２）をピン（３３）により揺動自在に軸支し、閂（３４）は中間支柱（３２）に設けた長穴（３９）内に直線移動できるようにセットし、さらに中間支柱（４０）に溝（３５、３６、３７）を設けている。
【００１０】
図１０において取手（４５）をパイプ（４８）に挿入し、テーパー部（５７）を持った隙間埋めコマ（４７）をパイプ（４８）と取手（４５）の隙間を埋めるように装着し、固定具（５０、４６）をネジ（４９）を使用して締めている。
【００１１】
図１３において天蓋（５１）は枠（５５）を鋼の平角材を長円形に成形しそれに布（５２）を縫いつけ、支柱（５４）上に設けた取り付け具（５３）に枠（５５）をネジ（５６）により固着している。
【００１２】
【発明の効果】
本発明は以上説明したように構成されているので以下に記載されるような効果を奏する。
【００１３】
車椅子に前後に長い傘状天蓋（３）及び天蓋（５１）を取りつけると、介護者（１）と被介護者（２）がともに入れるようになり一人だけが入れる場合の後ろめたさが無くなると共に他の通行人の邪魔にならない。
【００１４】
支柱受け（１３）のパイプ（１１）の中に圧縮ばね（１０）を挿入し、その上に傘支柱（５）を挿入するようにしたことによりロック（１２）を外した時天蓋と支柱の重量を手で支える必要が無くなり扱い易くなる。
【００１５】
前方より斜めに射す太陽光又は雨を避ける為には、傘状天蓋（３）又は矢蓋（５１）の中間支柱（３２）を被介護者（２）の頭より少し前に位置取りする必要が有るが、２個の関節（１５、１７）を設けて支柱受け（１３）を車椅子の後方の左右どちらかの脇に設置することにより、被介護者の前方と左右の障碍物が無くなり、さらに被介護者（２）が頭を後ろに傾けた時に支柱が邪魔にならず、さらに傘状天蓋（３）を折り畳む時は、関節（１５、１７）を共に真っ直ぐにすることで可動ハブ（１４）を引き下ろして傘状天蓋を折り畳める。
【００１６】
前方より斜めに射す太陽光又は雨を避ける為には、傘状天蓋（３）又は天蓋（５１）の中間支柱（３２）を被介護者（２）の頭より少し前に位置取りし、同じく後方よりの場合はスライドガイド（１９）を動かして中間支柱（３２）を後方に位置取りし、後方より斜めに射す太陽光又は雨を避けられて、傘状天蓋（３）又は天蓋（５１）を小さくできる。
【００１７】
中間支柱（３２）を左に傾けて閂（３４）を溝（３５）に挿入すると天蓋は左に傾いて固定され、左より斜めに射す太陽光又は雨を避けられる。同様に中間支柱（３２）を右に傾けて閂（３４）を溝（３７）に挿入すると天蓋は右に傾いて固定され、右より斜めに射す太陽光又は雨を避けられる。また中間支柱（３２）を真っ直ぐにして閂（３４）を溝（３６）に挿入すると可動ハブ（１４）を引き下ろして傘状天蓋を折り畳める。
【００１８】
被介護者（２）の体重等座面に乗ったモノの重量が４０Ｋｇの時、前輪（８）を持ち上げる為に取手にかける下向きの力Ｄ．ｆは図２より‘Ｄ．ｆ＝４０ｘｍ１／Ｌ１’となりＬ１を大きくすれば小さくなり、同様に取手にかける上向きの力Ｕ．ｆは‘Ｕ．ｆ＝４０ｘｍ２／Ｌ２’となりＬ２を大きくすれば小さくなり路上の段差や凹凸を乗り越え易くなる。
【００１９】
図１０に示す如く、取手（４５）をパイプ（４８）に挿入し、隙間埋めコマ（４７）のテーパー部をパイプ（４８）と取手（４５）の隙間を埋めるように装着し、固定具（５０、４６）をネジ（４９）を締めて取りつけるような構造のため取手（４５）はしっかり固定されて既設の取手を延長できる。
【図面の簡単な説明】
【図１】傘状天蓋の上面図である。
【図２】車椅子の正面図である。
【図３】折り曲げた支柱の拡大図である。
【図４】支柱受けの移動機構の拡大図である。
【図５】図２のＡ−Ａ矢視図である。
【図６】関節（１５）、（１７）、（１８）が一直線になった説明図である。
【図７】関節（１５）、（１７）、（１８）の拡大断面図である。
【図８】図７のＢ−Ｂ断面図である。
【図９】取手の拡大断面図である。
【図１０】図９のＣ−Ｃ断面図である。
【図１１】図１０のＤ−Ｄ断面図である。
【図１２】天蓋の上面図である。
【図１３】天蓋の正面図である。
【符号の説明】
１  介護者
２  被介護者
３  傘状天蓋
４  太陽光又は雨
５  支柱
７  大車輪
８  前輪
１０  圧縮バネ
１１  パイプ
１２  ロック
１３  支柱受け
１４  可動ハブ
１５  関節
１７  関節
１８  関節
１９  スライドガイド
２０  支柱受け取りつけ具
２１  支持枠
２２  取り付け板
２９  ピン
３０  パイプ
３１  ガイドスリット
３２  中間支柱
３３  ピン
３４  閂
３５  溝
３６  溝
３７  溝
３８  ピン
３９  長穴
４０  中間支柱
４１  中間支柱
４２  中間支柱
４３  溝
４５  取手
４６  固定具
４７  隙間埋めコマ
４８  パイプ
４９  ネジ
５０  固定具
５１  天蓋
５２  布
５３  取り付け具
５４  支柱
５５  枠
５６  ネジ
５７  テーパー部
【図１】
2004321724.tif 000003
【図２】
2004321724.tif 000004
【図３】
2004321724.tif 000005
【図４】
2004321724.tif 000006
【図５】
2004321724.tif 000007
【図６】
2004321724.tif 000008
【図７】
2004321724.tif 000009
【図８】
2004321724.tif 000010
【図９】
2004321724.tif 000011
【図１０】
2004321724.tif 000012
【図１１】
2004321724.tif 000013
【図１２】
2004321724.tif 000014
【図１３】
2004321724.tif 000015